(57)【要約】【課題】人間がドアの近くまで来るまでは、ＬＥＤのきらきらした光線が目に入らないようにして安全に通過できるようにした出入口の照明装置を提供すること。【解決手段】出入口の天井側に床面を照射するＬＥＤ光源からなる照明器具を無目内に埋め込み取り付けた出入口の照明装置において、前記照明器具は、細長に配置したＬＥＤ光源を下面の開口した光源支持金具で覆い、この光源支持金具の下面に光の通過する透明板を被せて構成し、この照明器具を、ドア取付用の無目における取付部材の底板部分に形成した細長い取り付け孔に臨ませ、前記取付部材の下面から取付兼配光プレートをあてがい、この取付兼配光プレートに形成された配光用長孔は、ＬＥＤ光源からの光線を出入り方向の配光角度が４０〜８０度にて照射するように構成する。【選択図】図１
2014203717.tif 000002
【特許請求の範囲】
【請求項１】
出入口の天井側に床面を照射するＬＥＤ光源からなる照明器具を取り付けた出入口の照明装置において、
前記照明器具のＬＥＤ光源に臨ませて下向きの出入り方向の配光角度を４０〜８０度に設定する配光装置を設けたことを特徴とする出入口の照明装置。
【請求項２】
出入口の天井側に床面を細長に照射するＬＥＤ光源からなる照明器具を無目内に埋め込み取り付けた出入口の照明装置において、
前記照明器具は、細長に配置したＬＥＤ光源を下面の開口した光源支持金具で覆い、この光源支持金具の下面に光の通過する透明板を被せて構成し、この照明器具を、ドア取付用の無目枠における取付部材の底板部分に形成した細長い取り付け孔に臨ませ、前記取付部材の下面から配光装置としての取付兼配光プレートをあてがい、この取付兼配光プレートに形成された配光用長孔は、ＬＥＤ光源からの光線を出入り方向の配光角度が４０〜８０度にて照射するように構成したことを特徴とする出入口の照明装置。
【請求項３】
出入口の天井側に床面を細長に照射するＬＥＤ光源からなる照明器具を無目内に埋め込み取り付けた出入口の照明装置において、
前記照明器具は、細長に配置したＬＥＤ光源を下面の開口した光源支持金具で覆い、この光源支持金具の下面に光の通過する透明板を被せて構成し、この照明器具を、この透明板の下面に、前記ＬＥＤ光源の光を透過する導通孔を有する支持プレートと一体に取り付け、この支持プレートをドア取付用の無目における取付部材の底板部分に形成した細長い取り付け孔に上から臨ませ、前記取付部材の下面から配光装置としての取付兼配光プレートをあてがい、この取付兼配光プレートに形成された配光用長孔は、ＬＥＤ光源からの光線を出入り方向の配光角度が４０〜８０度にて照射するように構成したことを特徴とする出入口の照明装置。
【請求項４】
取付兼配光プレートに、針金状の脱落防止金具を取り付け、この脱落防止金具の上端屈曲部を、支持プレートの脱落防止金具差し込み孔を通してこの支持プレートの上部に突出せしめたことを特徴とする請求項３記載の出入口の照明装置。
【請求項５】
支持プレートの幅は、取り付け孔の横幅より小さくし、支持プレートの長さは、取り付け孔の立幅より大きくして支持プレートを取り付け孔の下面から挿入して取付部材の上面に載せて支持プレートと取付兼配光プレートで取付部材を挟んで固定するようにしたことを特徴とする請求項３又は４記載の出入口の照明装置。
【発明の詳細な説明】
【技術分野】
【０００１】
本発明は、出入り口の天井側に設置したＬＥＤ光源からなる照明器具で足元を照らす出入口の照明装置に関するものである。
【背景技術】
【０００２】
回転ドアにおけるドアの回転範囲を照らすためにダウンライトを天井面に埋め込んだ装置が知られている（特許文献１）。
この装置のダウンライトは、光源としてＬＥＤ又は有機ＥＬからなり、天井面の取り付け位置は、出入り口の廊下側であって、ドアの廊下側への開き角度が鋭角の回動範囲内に設けたものである。
【先行技術文献】
【特許文献】
【０００３】
【特許文献１】特開２０１２−１３２２１０号公報。
【発明の概要】
【発明が解決しようとする課題】
【０００４】
特許文献１に示す装置は、出入り口の天井側から足元を照らすように構成されているが、光源としてＬＥＤを使用した場合、ドアから離れた位置では、光源の仰角αが小さいため人間の目に直接ＬＥＤのきらきらした光線が入射してまぶしさを与える。すると、網膜に残像が残り、開閉するドアの動きを確実に捉えられなくなってドアに接触する等の事故の恐れがあった。
本発明は、人間がドアの近くまで来るまでは、ＬＥＤのきらきらした光線が目に入らないようにして安全に通過できるようにした出入口の照明装置を提供することを目的とするものである。
【課題を解決するための手段】
【０００５】
本発明による出入口の照明装置は、出入口の天井側に床面を照射するＬＥＤ光源からなる照明器具を取り付けた出入口の照明装置において、
前記照明器具のＬＥＤ光源に臨ませて下向きの出入り方向の配光角度を４０〜８０度に設定する配光装置を設けたことを特徴とする。
【０００６】
出入口の天井側に床面を細長に照射するＬＥＤ光源からなる照明器具を無目内に埋め込み取り付けた出入口の照明装置において、
前記照明器具は、細長に配置したＬＥＤ光源を下面の開口した光源支持金具で覆い、この光源支持金具の下面に光の通過する透明板を被せて構成し、この照明器具を、ドア取付用の無目枠における取付部材の底板部分に形成した細長い取り付け孔に臨ませ、前記取付部材の下面から配光装置としての取付兼配光プレートをあてがい、この取付兼配光プレートに形成された配光用長孔は、ＬＥＤ光源からの光線を出入り方向の配光角度が４０〜８０度にて照射するように構成したことを特徴とする。
【０００７】
出入口の天井側に床面を細長に照射するＬＥＤ光源からなる照明器具を無目内に埋め込み取り付けた出入口の照明装置において、
前記照明器具は、細長に配置したＬＥＤ光源を下面の開口した光源支持金具で覆い、この光源支持金具の下面に光の通過する透明板を被せて構成し、この照明器具を、この透明板の下面に、前記ＬＥＤ光源の光を透過する導通孔を有する支持プレートと一体に取り付け、この支持プレートをドア取付用の無目における取付部材の底板部分に形成した細長い取り付け孔に上から臨ませ、前記取付部材の下面から配光装置としての取付兼配光プレートをあてがい、この取付兼配光プレートに形成された配光用長孔は、ＬＥＤ光源からの光線を出入り方向の配光角度が４０〜８０度にて照射するように構成したことを特徴とする。
【０００８】
取付兼配光プレートに、針金状の脱落防止金具を取り付け、この脱落防止金具の上端屈曲部を、支持プレートの脱落防止金具差し込み孔を通してこの支持プレートの上部に突出するようにしたことを特徴とする。
【０００９】
支持プレートの幅は、取り付け孔の横幅より小さくし、支持プレートの長さは、取り付け孔の立幅より大きくして支持プレートを取り付け孔の下面から挿入して取付部材の上面に載せて支持プレートと取付兼配光プレートで取付部材を挟んで固定するようにしたことを特徴とする。
【発明の効果】
【００１０】
請求項１記載の発明は、出入口の天井側に床面を照射するＬＥＤ光源からなる照明器具を取り付けた出入口の照明装置において、前記照明器具のＬＥＤ光源に臨ませて下向きの出入り方向の配光角度を４０〜８０度に設定する配光装置を設けたので、人間がドア等の出入り口の近くまで来るまでは、ＬＥＤのきらきらした光線が目に入らないようにして安全に通過できる。
【００１１】
請求項２記載の発明は、出入口の天井側に床面を細長に照射するＬＥＤ光源からなる照明器具を無目内に埋め込み取り付けた出入口の照明装置において、前記照明器具は、細長に配置したＬＥＤ光源を下面の開口した光源支持金具で覆い、この光源支持金具の下面に光の通過する透明板を被せて構成し、この照明器具を、ドア取付用の無目枠における取付部材の底板部分に形成した細長い取り付け孔に臨ませ、前記取付部材の下面から配光装置としての取付兼配光プレートをあてがい、この取付兼配光プレートに形成された配光用長孔は、ＬＥＤ光源からの光線を出入り方向の配光角度が４０〜８０度にて照射するように構成したので、既設のドアにおける無目に簡単に取付ができる。また、取付兼配光プレートに形成された配光用長孔の形状の調整又はＬＥＤ光源から配光用長孔までの距離の調整により配光角度θ１を４０〜８０度の範囲内で簡単に調整できる。
【００１２】
請求項３記載の発明は、出入口の天井側に床面を細長に照射するＬＥＤ光源からなる照明器具を無目内に埋め込み取り付けた出入口の照明装置において、前記照明器具は、細長に配置したＬＥＤ光源を下面の開口した光源支持金具で覆い、この光源支持金具の下面に光の通過する透明板を被せて構成し、この照明器具を、この透明板の下面に、前記ＬＥＤ光源の光を透過する導通孔を有する支持プレートを一体に取り付け、この支持プレートをドア取付用の無目における取付部材の底板部分に形成した細長い取り付け孔に上から臨ませ、前記取付部材の下面から配光装置としての取付兼配光プレートをあてがい、この取付兼配光プレートに形成された配光用長孔は、ＬＥＤ光源からの光線を出入り方向の配光角度が４０〜８０度にて照射するように構成したので、支持プレートの一端部を取付部材の底板部分に形成した細長い取り付け孔に下から空洞部に差し込み、取付部材の上で横にずらすことにより、支持プレートを取付部材の上に載せ、埋め込み型として簡単に、しかも見かけもよく取付ができる。
【００１３】
請求項４記載の発明は、取付兼配光プレートに、針金状の脱落防止金具を取り付け、この脱落防止金具の上端屈曲部を、支持プレートの脱落防止金具差し込み孔を通してこの支持プレートの上部に突出せしめたので、取付兼配光プレートの下向きの組み立て作業時に落下を防止し、安全に工事ができる。また、何らかの原因で取付兼配光プレートが支持プレートから外れても通行人の安全性が確保できる。
【００１４】
請求項５記載の発明は、支持プレートの幅は、取り付け孔の横幅より小さくし、支持プレートの長さは、取り付け孔の立幅より大きくして支持プレートを取り付け孔の下面から挿入して取付部材の上面に載せて支持プレートと取付兼配光プレートで取付部材を挟んで固定するようにしたので、取り付けが容易である。
【図面の簡単な説明】
【００１５】
【図１】本発明による出入口の照明装置の実施例１を示す模式的な正面図である。
【図２】本発明による出入口の照明装置を片開きドアに取り付けた状態の正面図である。
【図３】本発明による出入口の照明装置を無目内に取り付けた状態の断面図である。
【図４】（ａ）は、本発明による片開き用照明器具の正面図、（ｂ）は、同上底面図である。
【図５】取付兼配光プレートが落下するのを防止した状態の断面図である。
【図６】取付兼配光プレートを支持プレートに取り付けた状態の断面図である。
【図７】照明器具を無目の空洞部に嵌め込み取り付けた状態の断面図である。
【図８】図７と異なる形態の空洞部に照明器具を取り付けた状態の断面図である。
【図９】本発明による照明器具を両開きドアに取り付けた状態の正面図である。
【図１０】図９に使用される本発明による両開き用照明器具を示すもので、（ａ）は、正面図、（ｂ）は、底面図である。
【発明を実施するための形態】
【００１６】
図１において、建造物、車両等の構造物１１における天井１３と床面１４との間に出入口１２が設けてあり、この出入口１２の天井１３側に照明器具１０が取り付けられている。この照明器具１０は、下面が開口するように光源支持金具２３で囲まれており、この光源支持金具２３の下面の配光用長孔３２からＬＥＤ光源２２の光線が通過して出入口１２の床面１４を照らしている。
人間１５が出入口１２を通過する際に、出入口１２から離れたＡ点にいるときは、ＬＥＤ光源２２がむき出しであると、ＬＥＤ光源２２の仰角αが小さいので、照明器具１０を見上げなくても人間１５の目にきらきらしたＬＥＤ光源２２の光線が直接入射してまぶしさを感じる。
人間１５がＢ，Ｃ，Ｄと出入口１２に近づくにつれてＬＥＤ光源２２の仰角αが大きくなり、意識的に見上げないとＬＥＤ光源２２からの光線が直接人間１５の目に入らなくなる。
本発明では、このように意識的に見上げないと人間１５の目にＬＥＤ光源２２の光が入らなくなるような出入り方向の配光角度θ１となるように配光用長孔３２が形成されている。配光角度θ１は、人間１５の背の高さによって異なるが、４０度〜８０度程度とする。
【００１７】
取付兼配光プレートに、針金状の脱落防止金具を取り付け、この脱落防止金具の上端屈曲部を、取付兼配光プレートの脱落防止金具差し込み孔を通して取付兼配光プレートの上部に突出するようにし、取付兼配光プレートの下向きの組み立て作業時に落下を防止し、安全に工事ができる。また、何らかの原因で取付兼配光プレートが支持プレートから外れても通行人の安全性が確保できる。
【実施例１】
【００１８】
本発明による出入口の照明装置の実施例１を図面に基づき説明する。
図１及び図２において、建造物、車両等の構造物１１における天井１３と床面１４との間に出入口１２が設けてあり、この出入口１２の天井１３側に本発明の照明器具１０が取り付けられている。この照明器具１０は、片引きドア１６の場合には、閉じているドアの略中央部分に下向きに取り付けられる。
この照明器具１０は、図４に示すように、細長い光源支持金具２３の内部にＬＥＤ光源を収納し、支持プレート２５の上にボルト２７で取り付けられ、この支持プレート２５の導通孔２６から下向きに光線が出入り口１２の床面１４を細長く照射している。この支持プレート２５の両端部には、後述する取付兼配光プレート２８と着脱自在に連結するためのカムロックファスナソケット３０が設けられている。４１は、落下防止金具の差し込み孔である。
【００１９】
前記照明器具１０は、図５ないし図７に示すように、下向きコ字形の光源支持金具２３内に、プリント基板３９が設けられ、このプリント基板３９に、所定間隔で複数のＬＥＤ光源２２が接続され、前記光源支持金具２３の下側は透明板２４で保護されている。前記光源支持金具２３の端部に形成したケーブル通し孔４２から電源ケーブル２９を挿入し、前記プリント基板３９に電気的に接続されている。この照明器具１０を取り付ける支持プレート２５には、両端部にカムロックファスナソケット３０が取り付けられ、かつ、前記落下防止金具用差し込み孔４１が穿設されている。
【００２０】
前記照明装置１０を搭載した支持プレート２５は、無目１８に取り付けられる。この無目１８を構成する無目枠１８ａの内部には、図３に示すように、金属型枠１９が取り付けられ、この金属型枠１９にレール２０が取り付けられ、このレール２０に滑車２１を介して片引きドア１６が自動又は手動で開閉自在に吊り下げられている。また、前記無目枠１８ａの下端部には、嵌め殺しドア１７のガラスの上端部が挿入固定される空洞部３７が設けられており、本発明の照明器具１０は、嵌め殺しドア１７の取り付けていない部分を利用し、片引きドア１６の場合には、閉じているドアの略中央部分に下向きに取り付けられる。照明器具１０を取り付けた支持プレート２５は、前記空洞部３７の内部に取付部材３６が突出しているものでは、前記支持プレート２５の両側部に形成した係止部４８が圧入係止される。
また、図５及び図６に示すように、支持プレート２５は、前記空洞部３７の内部に取付部材３６にねじ３８で固定してもよい。
さらに、前記空洞部３７の内部に取付部材３６が突出していない場合には、図８に示すように、上向きコ字形の支持プレート２５をねじ４７で無目枠１８ａまで突出して固定するようにしてもよい。
【００２１】
前記支持プレート２５の下側には、照明器具１０による床面の配光範囲を決定する配光用長孔３２を穿設した配光装置としての取付兼配光プレート２８が設けられる。この取付兼配光プレート２８には、両端に、前記カムロックファスナソケット３０のプラグ差し込み孔４４に着脱自在に結合するカムロックファスナプラグ３１が取り付けられる。この取付兼配光プレート２８には、配光用長孔３２が形成されているので、ＬＥＤ光源２２からの光線は、出入り方向においてこの配光用長孔３２の形状により所定の配光角度θ１で照射される。
この配光角度θ１は、配光用長孔３２の形状によって調整することができる。また、取付兼配光プレート２８とＬＥＤ光源２２の距離によって調整してもよい。なお、図２において、θ２は、ドアの開き方向の配光角度であり、このドアの開き方向の配光角度θ２は、出入り口の床面１４を十分に照射する角度であればよく、特に角度は設定されない。
【００２２】
また、前記取付兼配光プレート２８の両端部には、前記カムロックファスナプラグ３１の基部に臨ませて脱落防止金具４０のリング部４６がワッシャ４３にて取り付けられている。この脱落防止金具４０は、針金状で斜め上方に伸び、先端が屈曲係止部４５となっている。前記照明器具１０を搭載した支持プレート２５の下面に取付兼配光プレート２８を取り付けるには、図５及び図６に示すように、取付兼配光プレート２８の両端の脱落防止金具４０を支持プレート２５の差し込み孔４１に差し込み、取付兼配光プレート２８のカムロックファスナプラグ３１をカムロックファスナソケット３０のプラグ差し込み孔４４に挿入すると、内部のばねでカムロックファスナソケット３０とカムロックファスナプラグ３１が結合し、図６に示すように、脱落防止金具４０は、支持プレート２５の上部に突出している。
【００２３】
取付兼配光プレート２８を支持プレート２５から取り外す場合には、両端のカムロックファスナプラグ３１を下から押し込むと、カムロックファスナソケット３０の内部でばねによる係合が外れる。すると、取付兼配光プレート２８が外れるが、脱落防止金具４０の先端の屈曲係止部４５が支持プレート２５の上面で係止し、落下することはない。外そうとしなくても何らかの原因でカムロックファスナソケット３０からカムロックファスナプラグ３１が外れた場合にも取付兼配光プレート２８が落下することがない。
【００２４】
前記取付兼配光プレート２８には、配光用長孔３２が形成されているので、ＬＥＤ光源２２からの光線は、出入り方向においてこの配光用長孔３２の形状により所定の配光角度θ１で照射される。
この配光角度θ１は、配光用長孔３２の形状によって調整することができる。また、取付兼配光プレート２８とＬＥＤ光源２２の距離によって調整してもよい。なお、図２において、θ２は、ドアの開き方向の配光角度であり、このドアの開き方向の配光角度θ２は、出入り口の床面１４を十分に照射する角度であればよく、特に角度は設定されない。
【００２５】
以上のように構成することによって、図１に基づき前述したように、人間１５がＢ，Ｃ，Ｄと出入口１２に近づくにつれてＬＥＤ光源２２の仰角が大きくなり、意識的に見上げないとＬＥＤ光源２２からの光線が直接人間１５の目に入らなくなるので、人間がドアの近くまで来るまでは、ＬＥＤのきらきらした光線が目に入らないようにして安全に通過できる。
照明器具１０のＬＥＤ光源２２は、静止点灯、点滅点灯、常時点灯、ドアの開閉に同期した点灯等であってもよい。
【００２６】
前記実施例では、図２に示すように、片引きドア１６のための照明器具１０について説明したが、これに限られるものではなく、図９及び図１０に示すように、両引きドア３５のために２個の照明器具１０を長手方向に並べたものとすることもできる。この場合、それぞれの照明器具１０毎に導通孔２６を形成する。また、この照明器具１０の取り付け位置は、２枚の両引きドア３５の召し合せ位置の上部とする。
【００２７】
前記実施例では、図７に示すように、照明器具１０の最下端の取付兼配光プレート２８に出入り方向の配光角度θ１を決める配光用長孔３２を形成して配光装置としたが、内側の支持プレート２５の導通孔２６を配光角度θ１を決める形状とすることができる。この場合、取付兼配光プレート２８の配光用長孔３２は、配光角度θ１の邪魔にならないように大きく形成する。
また、配光角度θ１は、配光用長孔３２によらずに、レンズを使用することもできる。
【００２８】
前記実施例では、建物、車両等の引き戸式の自動ドアに臨ませて照明器具１０を取り付ける例としたが、回転式の自動ドアでもよく、また、自動ドアでなく、手動ドアでもよい。さらに、ドアのない出入り口、廊下などであってもよい。
【００２９】
前記実施例では、無目枠１８ａに埋め込むように取り付けたが、図１に示すように、天井１３に直付けとすることもできる。
前記実施例では、取付兼配光プレート２８と支持プレート２５を、カムロックファスナソケット３０とカムロックファスナプラグ３１で着脱自在に結合するようにした。そのため、取付兼配光プレート２８に、針金状の脱落防止金具４０を取り付け、この脱落防止金具４０の上端屈曲部４５を、支持プレート２５の脱落防止金具差し込み孔４１を通してこの支持プレート２５の上部に突出せしめた。しかし、これに限られるものではなく、支持プレート２５の下側に取付兼配光プレート２８をねじで直接固定的に取付てもよい。
【符号の説明】
【００３０】
１０…照明器具、１１…構造物、１２…出入口、１３…天井、１４…床面、１５…人間、１６…片引きドア、１７…嵌め殺しドア、１８…無目、１８ａ…無目枠、１９…金属型枠、２０…レール、２１…滑車、２２…ＬＥＤ光源、２３…光源支持金具、２４…透明板、２５…支持プレート、２６…導通孔、２７…ボルト、２８…取付兼配光プレート、２９…電源ケーブル、３０…カムロックファスナのソケット、３１…カムロックファスナのプラグ、３２…配光用長孔、３３…取り付け孔、３５…両引きドア、３６…取付部材、３７…空洞部、３８…ねじ、３９…プリント基板、４０…脱落防止金具、４１…差し込み孔、４２…ケーブル通し孔４、４３…ワッシャ、４４…プラグ差し込み孔、４５…屈曲係止部、４６…リング部、４７…ねじ、４８…係止部。
【図１】
2014203717.tif 000003
【図２】
2014203717.tif 000004
【図３】
2014203717.tif 000005
【図４】
2014203717.tif 000006
【図５】
2014203717.tif 000007
【図６】
2014203717.tif 000008
【図７】
2014203717.tif 000009
【図８】
2014203717.tif 000010
【図９】
2014203717.tif 000011
【図１０】
2014203717.tif 000012